(57)【要約】【課題】本発明は、廃棄物焼却灰コンテナ内の焼却灰からのアンモニア臭やアンモニア臭による処理作業環境の問題を解決するものであって、アルミニウムフィルム等を含有する廃プラスチック焼却灰から発生するアンモニア消臭・脱臭効果に優れる、安価な廃棄物焼却灰処理剤および焼却灰処理方法を提供することを目的とする。【解決手段】アルミニウムフィルム等を含有する廃プラスチック焼却灰から発生するアンモニア臭をを消臭・脱臭する処理剤が、ポリ塩化アルミニウム（ＰＡＣ）からなることを特徴とする廃棄物焼却灰処理剤および焼却灰処理方法である。【選択図】図１
2005058884.tif 000002
【特許請求の範囲】
【請求項１】
アルミニウムフィルム等を含有する廃プラスチック焼却灰から発生するアンモニア臭を消臭・脱臭する処理剤が、ポリ塩化アルミニウム（ＰＡＣ）からなることを特徴とする廃棄物焼却灰処理剤。
【請求項２】
前記ポリ塩化アルミニウム（ＰＡＣ）の添加量が、廃プラスチック焼却灰１００重量部に対して、１重量部（固形分量で）であることを特徴とする請求項１記載の廃棄物焼却灰処理剤。
【請求項３】
前記ポリ塩化アルミニウム（ＰＡＣ）を水溶液として用いることを特徴とする請求項１または２記載の廃棄物焼却灰処理剤。
【請求項４】
前記廃プラスチック焼却灰が供給される水槽内に、ポリ塩化アルミニウム（ＰＡＣ）水溶液からなる処理剤が注入されて、該焼却灰と処理剤の混合物が連続して水槽内から排出されて連続式に処理されることを特徴とする焼却灰処理方法。
【請求項５】
前記ポリ塩化アルミニウム（ＰＡＣ）水溶液からなる処理剤が、自動的に、水槽内のＰＨ値が、４．５以下の値で注入停止し、水槽内のＰＨ値が、４．５を超える値で注入開始する手段を有することを特徴とする請求項４記載の焼却灰処理方法。
【請求項６】
請求項４または５記載の焼却灰処理方法において、
前記焼却灰処理方法が廃棄物処理施設に併設される湿式灰冷却装置を用いることを特徴とする焼却灰処理方法。
【発明の詳細な説明】
【技術分野】
【０００１】
アルミニウムフィルム等を含有するプラスチック廃棄物焼却灰から発生するアンモニア臭を脱臭する廃棄物焼却灰処理剤および焼却灰処理方法に関する。
【背景技術】
【０００２】
従来、アルミニウムフィルム等を含有するプラスチック廃棄物は、焼却して減容化した廃棄物焼却灰として最終処分場に廃棄すれば処理は終了する。
【０００３】
アルムニウムフィルム等を含有するプラスチック廃棄物焼却灰を水封、飛散防止および冷却する処理装置の一例として、湿式灰冷却装置は、別名、灰出し装置、クリンカチャンネルなどと呼ばれている。この装置は、例えば図２に示すように、焼却炉から発生する焼却主灰や飛灰などの焼却灰ａを冷却するための冷却水ｗ（一般に設備水と呼ばれる）を収容する水槽１０と、該水槽１０内の設備水ｗ中に焼却灰ａを投入する灰シューター２０と、チェン３１と該チェン３１に設けられたスクレーパー３２とを有し、水槽１０内で冷却された灰を水槽１０から払い出す灰払い出しコンベア３０などの灰払い出し手段と、前記水槽１０から払い出された焼却灰ａを振動フルイ機４０を介して、焼却灰ａを受け入れる灰コンテナ５０とを有し、焼却炉から排出された焼却主灰や飛灰などの焼却灰ａを灰シューター２０から水槽１０内の設備水ｗ中に投入し、冷却後、前記灰払い出しコンベア３０のスクレーパー３２により水槽１０内から灰コンテナ５０に払い出す装置である。
【０００４】
この装置から排出されたアルミニウムフィルム等を含有するプラスチック廃棄物焼却灰ａは、廃棄物中のアルミニウムフィルムの燃焼により、下記の化学反応式（１）に示されるように、窒化アルミニウムが生成する。
【０００５】
２Ａｌ＋Ｎ2→２ＡｌＮ（窒化アルミニウム）・・・式（１）
焼却灰の水による冷却・水封の工程で上記で生成した窒化アルミニウムと水が反応して、下記の化学式（２）に示すように、アンモニアガスが発生する。
【０００６】
ＡｌＮ＋３Ｈ2Ｏ→Ａｌ3+＋ＮＨ3（アンモニア）＋３ＯＨ-・・・式（２）
上記の反応は、主に灰コンテナ内で、低温で徐々に、１００℃の高温では激しく反応してアンモニアガスを発生する。
【０００７】
焼却灰の外部処理業者への処理を委託する場合や自社内で処理する場合、灰コンテナ内の焼却灰からのアンモニア臭やアンモニア臭による処理作業環境が問題となっている。
【０００８】
上記のアンモニア臭の問題を解決するために、アンモニア消臭・脱臭剤が種々開発されているが、非常に高価であることや、消臭・脱臭効果が十分でなく、未だ安価で、消臭・脱臭効果に優れたものは見出されていないのが現状である。
【発明の開示】
【発明が解決しようとする課題】
【０００９】
本発明は、上記の問題を解決するためになされたものであって、安価で、アルミニウムフィルム等を含有する廃プラスチック焼却灰から発生するアンモニア消臭・脱臭効果に優れる廃棄物焼却灰処理剤および焼却灰処理方法を提供することを目的とする。
【課題を解決するための手段】
【００１０】
上記の目的を達成するために、
請求項１に係る発明は、
アルミニウムフィルム等を含有する廃プラスチック焼却灰から発生するアンモニア臭を消臭・脱臭する処理剤が、ポリ塩化アルミニウム（ＰＡＣ）からなることを特徴とする廃棄物焼却灰処理剤である。
【００１１】
請求項２に係る発明は、
前記ポリ塩化アルミニウム（ＰＡＣ）の添加量が、廃プラスチック焼却灰１００重量部に対して、１重量部（固形分量で）であることを特徴とする請求項１記載の廃棄物焼却灰処理剤である。
【００１２】
請求項３に係る発明は、
前記ポリ塩化アルミニウム（ＰＡＣ）を水溶液として用いるであることを特徴とする請求項１記載の廃棄物焼却灰処理剤である。
【００１３】
請求項４に係る発明は、
前記廃プラスチック焼却灰が供給される水槽内に、ポリ塩化アルミニウム（ＰＡＣ）水溶液からなる処理剤が注入されて、該焼却灰と処理剤の混合物が連続して水槽内から排出されて連続式に処理されることを特徴とする焼却灰処理方法である。
【００１４】
請求項５に係る発明は、
前記ポリ塩化アルミニウム（ＰＡＣ）水溶液からなる処理剤が、自動的に、水槽内のＰＨ値が、４．５以下の値で注入停止し、水槽内のＰＨ値が、４．５を超える値で処理剤を注入開始する手段を有することを特徴とする請求項４記載の焼却灰処理方法である。
【００１５】
請求項４または５記載の６に係る発明は、
前記処理が廃棄物処理施設に併設される湿式灰冷却装置を用いることを特徴とする請求焼却灰処理方法である。
【発明の効果】
【００１６】
本発明により、安価でアンモニア消臭・脱臭効果に優れる廃棄物焼却灰処理剤および焼却灰処理方法を提供することができる。
【００１７】
これにより、廃棄物焼却灰処理剤の材料費の低減、処理コストの低減および廃棄物焼却灰処理作業環境の改善、処理委託業者の拡大等を図ることができる。
【発明を実施するための最良の形態】
【００１８】
以下、本発明の一実施例としての好ましい実施形態について説明する。
【００１９】
図１は、本発明の廃棄物焼却灰処理剤を用いた廃棄物焼却灰処理方法の一例を示す概念図である。
【００２０】
本発明の廃棄物焼却灰処理剤を用いて、例えば湿式灰冷却装置の水槽内にその処理剤水溶液を注入し、水槽内の焼却灰を処理することを特徴としている。これを図１に示す本発明における焼却灰処理装置を用いた本発明の焼却灰処理方法の一実施例を図面に基づいて説明する。
【００２１】
本発明における一例としての焼却灰処理装置１は、焼却炉から発生する焼却主灰や飛灰などの焼却灰ａを冷却するための冷却水ｗ（一般に設備水と呼ばれる）を収容する水槽１０と、該水槽１０内の設備水ｗ中に焼却灰ａを投入する灰シューター２０と、チェン３１と該チェン３１に設けられたスクレーパー３２とを有し、水槽１０内で冷却された灰を水
槽１０から払い出す灰払い出しコンベア３０などの灰払い出し手段と、前記水槽１０から払い出された焼却灰ａを振動フルイ機４０を介して、焼却灰ａを受け入れる灰コンテナ５０とを有し、焼却炉から排出された焼却主灰や飛灰などの焼却灰ａを灰シューター２０から水槽１０内の設備水ｗ中に投入し、冷却後、前記灰払い出しコンベア３０のスクレーパー３２により水槽１０内から灰コンテナ５０に払い出す装置の水槽１０に処理剤水溶液を貯蔵するタンク７０と水槽内のＰＨ測定装置６０を備え、水槽１０の水（冷却水）と灰を均一に混合分散させる目的の循環ポンプ３４により常時循環させる配管系３５を介して、タンク７０に付随するポンプ７１を制御装置６１の指令制御する手段によりタンク７０内の処理剤水溶液を、自動的に、水槽内のＰＨ値が、４．５以下の値で注入停止し、水槽内のＰＨ値が、４．５を超えた値で注入開始することを特徴とする焼却灰処理方法である。
【００２２】
廃プラスチック焼却灰が供給される水槽内に処理剤が注入されて、その焼却灰と処理剤の混合物が連続して水槽内から排出されて連続式に処理されることを特徴とする焼却灰処理方法である。
【００２３】
上記本発明の焼却灰処理剤およびその処理方法により処理されて得られる焼却灰は、アンモニア臭が脱臭されて灰コンテナに排出される。アンモニア臭の脱臭効果に優れる廃棄物焼却灰処理剤および焼却灰処理方法を提供でき、廃棄物焼却灰処理剤の材料費の低減、処理コストの低減、および廃棄物焼却灰処理作業環境の改善等を図ることができる。
【００２４】
本発明において用いられる焼却灰処理剤は、アルミニウムフィルム等を含有する廃プラスチック焼却灰から発生するアンモニア臭を消臭・脱臭する目的の処理剤である。処理剤としては、ポリ塩化アルミニウム（ＰＡＣ）が挙げられる。ポリ塩化アルミニウム（ＰＡＣ）は水溶液として用いられる。
【００２５】
処理剤としてのポリ塩化アルミニウム（ＰＡＣ）の添加量が、廃プラスチック焼却灰１００重量部に対して、１重量部（固形分量で）であることが消臭・脱臭効果および経済的な面から望ましい。
【実施例１】
【００２６】
下記の処理剤（消臭剤）を用いて、アンモニア臭気の有無について官能評価および下記の測定条件に基づいてガス検知管を使用して臭気濃度を測定し、消臭・脱臭効果を評価した。その結果を表１に示す。
＜使用した処理剤＞
・ポリ塩化アルミニウム（ＰＡＣ）（本発明の処理剤）
本発明の処理剤とその消臭・脱臭効果を比較するため下記の処理剤を用いた。
【００２７】
・水
・硫酸
・消臭剤（（有）アース製）
・消臭剤「商品名エアーケム６６５Ｍ」（第一クリーンケミカル株式会社製）
・消臭剤「オリソープＨＰＺ」（東洋ビーネット株式会社製）
＜臭気濃度の測定条件＞
常温、常圧にてサンプル容器の上部からガス検知管（ガステック社製）を差し込みサンプル灰から約２ｃｍ離れた箇所での臭気濃度を測定した。
【００２８】
【表１】
2005058884.tif 000003
表１より、本発明の処理剤のアンモニア消臭・脱臭効果が優れており、アルミニウムフィルム等を含有するプラスチック廃棄物焼却灰から発生するアンモニア臭を脱臭する廃棄物焼却灰処理剤として好適に用いられる。
【実施例２】
【００２９】
次に、上記の実施例１で用いた本発明の処理剤（ＰＡＣ）を、図１に示す湿式灰冷却装置に適用して、処理剤投入開始から、１５、３０、４５、６０、７５、９０分後水槽のＰＨ値、灰のアンモニア臭気の有無、臭気濃度、灰温度を測定した。その結果を表２に示す。
【００３０】
【表２】
2005058884.tif 000004
表２より、焼却灰のアンモニア臭気は、本発明の処理剤を投入して９０分後には完全に除去された。また、焼却灰の温度も低下しており、灰の発熱反応が抑制されていることがわかる。アルミニウムフィルム等を含有するプラスチック廃棄物焼却灰から発生するアンモニア臭を脱臭する廃棄物焼却灰処理剤、および一例として湿式灰冷却装置を用いた焼却灰処理方法を提供することができる。
【産業上の利用可能性】
【００３１】
アルミニウムフィルム等を含有するプラスチック廃棄物焼却灰から発生するアンモニア臭を消臭・除去する廃棄物焼却灰処理剤およびその焼却灰処理方法として好適に利用可能である。
【図面の簡単な説明】
【００３２】
【図１】本発明の廃棄物焼却灰処理剤を用いた湿式灰冷却装置による焼却灰処理方法を説明する説明図である。
【図２】従来の湿式灰冷却装置による焼却灰処理方法を説明する説明図である。
【符号の説明】
【００３３】
１・・・湿式灰冷却装置
１０・・・水槽
２０・・・灰シューター
３０・・・灰払い出しコンベア
３１・・・チェン
３２・・・スクレーバー
３３・・・歯車
３４・・・循環ポンプ
３５・・・循環配管
４０・・・振動フルイ機
５０・・・灰コンテナ
６０・・・ＰＨ測定装置
６１・・・制御装置
７０・・・処理剤水溶液貯蔵タンク
７１・・・ポンプ
【図１】
2005058884.tif 000005
【図２】
2005058884.tif 000006